(57)【特許請求の範囲】
【請求項１】
相手の移動局と直接通信を行う移動局において、
前記相手の移動局に送信信号を送信する送信部と、
自局の使用タイプを検出する検出部と、
前記自局の使用タイプが第２の使用タイプに対応する第２の送信出力より低い第１の送信出力に対応する第１の使用タイプであり、前記相手の移動局から前記送信信号に対する応答が受信できなかった場合、前記第２の送信出力に切り替える出力部と、を有し、
前記検出部は、前記出力部が外部アンテナに接続しているか内部アンテナに接続しているかに基づいて、自局の使用タイプが前記第１の使用タイプに対応するハンディ・タイプであるか、前記第２の使用タイプに対応する車載タイプであるかを検出する
移動局。
【請求項２】
前記使用タイプが前記第１の使用タイプである場合、
前記出力部の送信出力を前記第２の送信出力に切り替え、前記送信部が前記相手の移動局に送信信号を送信し、前記相手の移動局から前記送信信号に対する応答が受信できたとき、前記第２の送信出力のまま前記相手の移動局と通話し、前記相手の移動局と通話が終了したとき前記送信部の送信出力を前記第１の送信出力に設定する、
請求項１に記載の移動局。
【請求項３】
前記使用タイプが前記第１の使用タイプである場合、
前記出力部の送信出力を前記第２の送信出力に切り替え、前記送信部が前記相手の移動局に所定回数送信信号を送信しても前記相手の移動局から前記送信信号に対する応答が受信できなかったとき、前記送信部の送信出力を前記第１の送信出力に設定する、
請求項２に記載の移動局。
【請求項４】
相手の移動局と直接通信を行う移動局間通信方法において、
前記相手の移動局に送信信号を送信し、
出力部が外部アンテナに接続しているか内部アンテナに接続しているかに基づいて、自局の使用タイプが、ハンディ・タイプであるか、車載タイプであるかを検出し、
前記自局の使用タイプが前記ハンディ・タイプであり、前記相手の移動局から、前記ハンディ・タイプに対応する第１の送信出力で送信した前記送信信号に対する応答が受信できなかった場合、送信出力を前記第１の送信出力よりも大きく、前記車載タイプに対応する第２の送信出力に切り替え、
再度、前記相手の移動局に前記送信信号を送信する、
移動局間通信方法。
【請求項５】
直接通信を行う第１及び第２の移動局を有する移動無線通信システムにおいて、
前記第１及び第２の移動局は、
相手局である第２及び第１の移動局に送信信号を送信する送信部と、
自局である第1及び第２の移動局の使用タイプを検出する検出部と、
前記自局の使用タイプが第２の使用タイプに対応する第２の送信出力より低い第１の使用タイプであり、前記送信信号に対する前記相手局からの応答が受信できなかった場合、前記第２の送信出力に切り替える出力部と、を有し、
前記検出部は、前記出力部が外部アンテナに接続しているか内部アンテナに接続しているかに基づいて、自局の使用タイプが前記第１の使用タイプに対応するハンディ・タイプであるか、前記第２の使用タイプに対応する車載タイプであるかを検出する
移動無線通信システム。
【発明の詳細な説明】
【技術分野】
【０００１】
本発明は、移動無線通信システム、移動局及び移動局間通信方法に関し、特に、複数の送信出力モードをもつ移動局を備える移動無線通信システム、移動局及びその移動局間通信方法に関する。
【背景技術】
【０００２】
防災用途で使用される移動無線通信システムの移動局は、基地局が設置されていない山地などでの活動を考慮して、基地局を介さず、移動局間で直接通信して相手移動局を呼び出すことが可能に構成されている。また防災用途で使用される移動局は、車両に設置して外部アンテナに接続して使用することも可能に構成されている。移動局が車両に設置して外部アンテナに接続する車載タイプとして使用される場合は、人体が電磁波にさらされる局所SAR（Specific Absorption Rate）を考慮する必要はないため、高出力モード（５Ｗ等）として運用するよう構成されている。
【０００３】
移動局間で直接通信するときの送信出力設定の技術が、例えば特許文献１に関連技術が開示されている。特許文献１に開示されている移動局は、電波の受信電界強度レベル及びＧＰＳによる進行方向と進行速度から、相手の移動局との距離を判断してその距離に応じた出力で送信を行う。以降の通話は、受信側の移動局が相手移動局から送られてくる距離データを基準としてＧＰＳの情報からお互いの距離を算出して送信出力を制御する。
【先行技術文献】
【特許文献】
【０００４】
【特許文献１】特開２００４−１２０１０９号公報
【発明の概要】
【発明が解決しようとする課題】
【０００５】
基地局を介して相手の移動局を呼び出す場合、基地局は複数の移動局の通信を可能とするため、アンテナを電波環境が良い場所に設置することで、通信可能なエリアを大きく確保することができるが、移動局間直接通信にて相手の移動局を呼び出す場合は、基地局を介さないため、アンテナの電波環境は良くないことが多い。したがって、通信可能なエリアは狭くなって、通話の接続率が低いという課題があった。
【０００６】
特許文献１に記載の端末は、相手の移動局からの電波を受信することにより、受信電界強度レベルを測定し相手の移動局との距離を判断して送信出力レベルを変更するものであり、相手の移動局と通話開始可能な状態を前提としている。特許文献１の構成では、相手の移動局との通話開始に至らない場合に通話接続させることは困難である。
【０００７】
本発明の目的は、移動局間通信において相手局との通話接続率を向上させる移動無線通信システム、移動局及び移動局間通信方法を提供することにある。
【課題を解決するための手段】
【０００８】
本発明の移動局は、相手の移動局と直接通信を行う移動局であって、前記相手の移動局に送信信号を送信する送信部と、自局の使用タイプを検出する検出部と、前記自局の使用タイプが第２の使用タイプに対応する第２の送信出力より低い第１の送信出力に対応する第１の使用タイプであり、前記相手の移動局から前記送信信号に対する応答が受信できなかった場合、前記第２の送信出力に切り替える出力部と、を有する。
【０００９】
本発明の移動局間通信方法は、相手の移動局と直接通信を行う移動局間直接通信方法であって、前記相手の移動局に送信信号を送信し、自局の使用タイプを検出し、前記自局の使用タイプが第２の使用タイプに対応する第２の送信出力より低い第１の使用タイプであり、前記相手の移動局から前記送信信号に対する応答が受信できなかった場合、前記第２の送信出力に切り替え、再度、前記相手の移動局に前記送信信号を送信する。
【００１０】
本発明の移動無線通信システムは、直接通信を行う第１及び第２の移動局を有する移動無線通信システムにおいて、前記第１及び第２の移動局は、前記第２及び第１の移動局に送信信号を送信する送信部と、前記第1及び第２の移動局の使用タイプを検出する検出部と、前記使用タイプが第２の使用タイプに対応する第２の送信出力より低い第１の使用タイプであり、前記送信信号に対する前記第２及び第１の移動局からの応答が受信できなかった場合、前記第２の送信出力に切り替える出力部と、を有する。
【発明の効果】
【００１１】
本発明によれば、移動局間通信において相手局との通話接続率を向上させることが可能となる。
【図面の簡単な説明】
【００１２】
【図１】図１は、本発明の第１の実施形態の移動無線システムの概略構成を示すブロック図である。
【図２】図２は、本発明の第１の実施形態の移動局の構成を示すブロック図である。
【図３】図３は、図２の移動局間直接通信の動作を示すフローチャートである。
【発明を実施するための形態】
【００１３】
図１は、本発明の第１の実施形態の構成を示すブロック図である。図２は、本発明の第１の実施形態の移動局の構成を示すブロック図である。図１及び図２を用いて本発明の第１の実施形態の構成を説明する。
【００１４】
（構成の説明）
移動無線通信システム１は、図１に示すように、複数の移動局１０、２０と、移動局１０、２０と無線通信を行う基地局３０を備えている。移動無線通信システム１は、基地局３０が、移動局１０、２０との間で通信が可能であるとともに、基地局３０を介さず移動局１０が他の移動局２０と直接通信が可能に構成されている。すなわち、移動局１０が送信信号に直接通信を示す情報を付加して他の移動局２０に送信すると、移動局２０が直接受信する。基地局３０は、移動局１０からの送信信号に直接通信を示す情報が含まれていない場合に送信信号を受信する。基地局３０は、人体が高出力の電磁波にさらされることを考慮することなく設定された高出力、例えば５Ｗの送信出力で移動局１０、２０に対し電波を送信する。
【００１５】
また移動局１０は、図２に示すように、送信部１１と、検出部１２と、出力部１３を備えている。なお他の移動局２０は、移動局１０と同じ構成である。
【００１６】
出力部１３は、送信出力として複数の設定が可能であり、例えば低出力モード又は高出力モードに設定が可能である。低出力モードでは、例えばアンテナが側頭部に近接するため、人体が電磁波にさらされる局所ＳＡＲ（Ｓｐｅｃｉｆｉｃ  Ａｂｓｏｒｐｔｉｏｎ  Ｒａｔｅ）を考慮した低い送信出力、例えば２Ｗの送信出力で、出力部１３が送信信号を出力する。高出力モードでは、人体がこの電磁波にさらされることを考慮することなく設定された高い送信出力、例えば５Ｗの送信出力で、出力部１３が送信信号を出力する。
【００１７】
また移動局１０、２０は、複数の使用方法で使用可能に構成されている。移動局１０、２０が操作者に携帯されて使用される使用方法は、ハンディ・タイプという。また移動局１０、２０が消防車などの車両に設置された車載アダプタに搭載されて使用される使用方法は、車載タイプという。
【００１８】
車載アダプタには、車両に設置された外部アンテナに接続される外部アンテナ端子が備えられ、移動局１０、２０が車載アダプタに搭載されたとき外部アンテナ端子に接触する出力端子１４が備えられる。移動局１０、２０が車載タイプとして使用される場合には、出力部１３は車両に設置された外部アンテナに接続される。一方、ハンディ・タイプとして使用されている場合、出力部１３は内部アンテナ１５に接続される。
【００１９】
検出部１２は、移動局１０がハンディ・タイプとして使用されているかを検出する。検出部１２は、例えば、出力端子１４に外部アンテナが接続されているか検出し、接続されていないことを検出した場合、ハンディ・タイプとして使用されていると検出する。あるいは検出部１２は、出力部１３が送信出力を内部アンテナ１５に接続している場合、使用タイプがハンディ・タイプであることを検出するように構成されてもよい。
【００２０】
移動局１０がハンディ・タイプとして使用されていることを検出すると、検出部１２は、出力部１３における送信出力の設定を低出力モードとする。移動局１０が車載タイプとして使用されている場合、検出部１２は、出力部１３における送信出力の設定を高出力モードとする。
【００２１】
また送信部１１は、他の移動局２０からの応答を受信したか判断し、受信できなかった場合、出力部１３における送信出力の設定を高出力モードに設定する。出力部１３が高出力モードに設定された後、送信部１１は、再度、他の移動局２０に対する送信信号を生成する。送信出力の設定を高出力モードにしたら通話が接続できた場合は、送信出力の設定を高出力モードとしたまま通話し、通話が終了すると、送信部１１は、出力部１３における送信出力の設定を当初の低出力モードに切り替えて、待受け状態に遷移する。送信部１１は、所定回数発信しても応答を受信できない場合、出力部１３における送信出力の設定を当初の低出力モードに切り替えて、待受け状態に遷移する。
【００２２】
（動作の説明）
図３は、図２の移動局間直接通信の動作を示すフローチャートである。
【００２３】
移動局１０は、移動局間で直接通信を行う場合、ハンディ・タイプとして使用されていると検出部１２が検出したときは、まず出力部１３における送信出力を低出力モードとしたまま、送信部１１からの送信信号を発信する（ステップＳ１）。この発信に対して相手の移動局２０から応答を受信したか判断し（ステップＳ２）、受信できた場合は、送信出力の設定を低出力モードとしたまま相手局と通話する（ステップＳ３）。応答がなく通信が確立できなかった場合、送信部１１は、出力部１３における送信出力の設定を高出力モードに切り替える（ステップＳ４）。
【００２４】
送信部１１は、予め定められた回数、発信を繰り返したか判断し（ステップＳ５）、所定回数に達していなければ、再度発信を行う（ステップＳ６）。送信部１１は、発信に対して相手局から応答を受信したか判断し（ステップＳ７）、送信出力の設定を高出力モードにしたら通話が接続できた場合は、送信出力の設定を高出力モードのまま通話する（ステップＳ８）。送信部１１は通話が終了したことを認識すると、出力部１３における送信出力の設定を当初の低出力モードに切り替えて、待受け状態に遷移する（ステップＳ９）とする。ステップＳ５において送信部１１が所定回数発信していたと判断した場合は、相手局の電源が入っていないことも想定されるため、通信確立をあきらめて、ステップＳ９に進み、送信部１１は出力部１３における送信出力の設定を当初の低出力モードに切り替えて、待受け状態に遷移する。
【００２５】
（効果の説明）
以上説明したように、本実施形態によれば、まず低出力モードで発信を行って相手局から応答がなかった場合、送信出力の設定を高出力モードに切り替えることにより、移動局間での直接通信の通話の接続率が向上する。したがって移動局間直接通信の通信エリアを広くすることができる。
【００２６】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００２７】
１    移動無線通信システム
１０、２０    移動局
１１    送信部
１２    検出部
１３    出力部
１４    出力端子
１５    内部アンテナ
３０    基地局
【図１】
0006747036.tif 000002
【図２】
0006747036.tif 000003
【図３】
0006747036.tif 000004